(57)【要約】【課題】洗面所やトイレ等にて使用される、ノズルから噴出する噴流の方向変更させて乾燥させる手乾燥装置において、振動、騒音が低減された手乾燥装置を提供することを目的とする。【解決手段】本体上部に設けた手乾燥室２と、前記手乾燥室２の上部入口付近に複数のノズル３と、前記ノズル３の前方に、噴流方向に対して垂直方向に回転軸を持ち、往復動作でなく一定方向に回転動作し、噴流の方向を変化させる噴流方向変更手段４を有し、前記噴流方向変更手段４の回転動作により、前記ノズル３から噴出し噴流の方向を変化させることができ、往復動作する際にかかる慣性力による振動、騒音の発生をなくすことができる手乾燥装置１が得られる。【選択図】図１
2013165802.tif 000002
【特許請求の範囲】
【請求項１】
本体上部に設けた手乾燥室と、前記手乾燥室の上部入口付近に複数のノズルと、前記ノズルの前方に、噴流方向に対して垂直方向に回転軸を持ち、一定方向に回転動作し、噴流の方向を変化させる噴流方向変更手段を有したことを特徴とした手乾燥装置。
【請求項２】
噴流方向変更手段を右半分と左半分で噴流変更の方向を逆にし対称形にした、請求項１に記載の手乾燥装置。
【発明の詳細な説明】
【技術分野】
【０００１】
本発明は、洗面所やトイレ等にて手洗いを行ったのち、濡れた手を乾燥させる手乾燥装置に関する。
【背景技術】
【０００２】
従来、この種の手乾燥装置では、手が挿入されて、ノズルから風速の速い噴流を吹き出し、手の水滴を飛ばし、乾燥させるものにおいて、ノズルから噴出す噴流の方向を変化することにより、乾燥ムラを生じさせず、消費電力を低減するものが知られていた（例えば特許文献１参照）。
【０００３】
以下、その手乾燥装置について図１２、図１３を参照しながら説明する。
【０００４】
図１２に示すように、手乾燥装置１０１は本体上部に設けた手乾燥室１０２と、前記手乾燥室１０２の上部入口付近に複数のノズル１０３と、前記ノズル１０３の噴流の方向を変化させるノズル方向変更手段１０４を有する。
【０００５】
また、図１３に示すように、前記ノズル方向変更手段１０４は、モータ１０５と、前記モータ１０５のロータシャフトに中心軸を固定された、回転運動を直線運動に変えるためのクランク１０６と、前記クランク１０６の編心された別の軸と、回転可能な連結部１０７で連結されたリンク１０８と、前記リンク１０８と回転可能な連結部１０７で連結され、前記ノズル１０３の方向を変更させるための案内板１０９と、前記案内板１０９をスライド可能な状態で、前記手乾燥装置１０１の本体に取付ける２個の支持部１１０を有する。
【０００６】
前記モータ１０５の回転運動は、前記クランク１０６と前記リンク１０８を介して前記案内板１０９を往復直線運動させ、前記ノズル１０３の噴流の方向を変化させることにより、前記ノズル１０３から噴出す噴流を、手に満遍なく当て、乾燥ムラを生じさせず、消費電力を低減するものである。
【先行技術文献】
【特許文献】
【０００７】
【特許文献１】特開２００８−８０１００号公報（段落番号０１１３，図１から図７）
【発明の概要】
【発明が解決しようとする課題】
【０００８】
このような従来の手乾燥装置の方法では、ノズル方向変更手段が往復動作する際にかかる慣性力により、前記ノズル方向変更手段が振動し、その振動が他の部品へ伝播することによって騒音が発生するという課題があった。
【０００９】
本発明は、上記従来の課題を解決するもので、ノズルの方向は変化させず、ノズルの前方に、噴流方向に対して垂直方向に回転軸を持ち、往復動作でなく回転動作をする、噴流の方向を変化させる噴流方向変更手段を設け、往復動作する際にかかる慣性力による振動、騒音が発生しない手乾燥装置を提供することを目的としている。
【課題を解決するための手段】
【００１０】
本発明の手乾燥装置は、上記目的を達成するために、ノズルの方向は変化させず、前記ノズルの前方に、噴流方向に対して垂直方向に回転軸を持ち、往復動作でなく回転動作をする、噴流の方向を変化させる噴流方向変更手段よりなる構成としたものである。
【００１１】
この手段により、往復動作する際にかかる慣性力による振動、騒音が発生しない手乾燥装置が得られる。
【００１２】
また、噴流方向変更手段の右半分と左半分で噴流変更の方向を逆方向にし、対称形にしたものである。
【００１３】
この手段により、噴流が前記噴流方向変更手段に当たることにより生じる前記噴流方向変更手段の回転軸方向の力が、右半分と左半分で逆方向になり打ち消し合い、前記噴流方向変更手段の回転軸方向の振動を低減し、振動による騒音を低減できる手乾燥装置が得られる。
【発明の効果】
【００１４】
本発明によれば、ノズルの前方に、噴流方向に対して垂直方向に回転軸を持ち、往復動作でなく回転動作をする、噴流の方向を変化させる噴流方向変更手段を有し、前記噴流方向変更手段により、往復動作する際にかかる慣性力による振動、騒音が発生しない手乾燥装置を提供できる。
【図面の簡単な説明】
【００１５】
【図１】本発明の実施の形態１の手乾燥装置の構成を示す概略図
【図２】本発明の実施の形態１の手乾燥装置の構成を示す概略図
【図３】本発明の実施の形態１の手乾燥装置の構成を示す概略図
【図４】本発明の実施の形態１の手乾燥装置の構成を示す概略図
【図５】本発明の実施の形態１の手乾燥装置の構成を示す概略図
【図６】本発明の実施の形態１の手乾燥装置の構成を示す概略図
【図７】本発明の実施の形態１の手乾燥装置の構成を示す概略図
【図８】本発明の実施の形態１の手乾燥装置の構成を示す概略図
【図９】本発明の実施の形態１の手乾燥装置の構成を示す概略図
【図１０】本発明の実施の形態１の手乾燥装置の構成を示す概略図
【図１１】本発明の実施の形態２の手乾燥装置の構成を示す概略図
【図１２】従来の手乾燥装置の構成を示す概略図
【図１３】従来の手乾燥装置の構成を示す概略図
【発明を実施するための形態】
【００１６】
本発明の請求項１記載の発明は、本体上部に設けた手乾燥室と、前記手乾燥室の上部入口付近に複数のノズルと、前記ノズルの前方に、噴流方向に対して垂直方向に回転軸を持ち、往復動作でなく一定方向に回転動作し、噴流の方向を変化させる噴流方向変更手段を有し、往復動作する際にかかる慣性力による振動、騒音が発生しない作用を有する。
【００１７】
また、噴流方向変更手段の右半分と左半分で噴流変更の方向を逆方向にし、対称形にしたものであり、噴流が前記噴流方向変更手段に当たることにより生じる前記噴流方向変更手段の回転軸方向の力が、右半分と左半分で逆方向になり打ち消し合い、前記噴流方向変更手段の回転軸方向の振動を低減し、振動による騒音を低減できる作用を有する。
【００１８】
以下、本発明の実施の形態について図面を参照しながら説明する。
【００１９】
（実施の形態１）
図１に示すように、手乾燥装置１は本体上部に設けた手乾燥室２と、前記手乾燥室２の上部入口付近に複数のノズル３と、前記ノズル３の前方に、噴流方向に対して垂直方向に回転軸を持ち、往復動作でなく一定方向に回転動作し、噴流の方向を変化させる噴流方向変更手段４により構成される。
【００２０】
また、図２に示すように、前記噴流方向変更手段４は回転動作を行うためのモータ５と、噴流方向を変更する回転ルーバー６と、前記モータ５のシャフトと前記回転ルーバー６を連結する連結部７と、前記回転ルーバー６の前記モータ５のシャフトの連結側と反対側に設けた支持部８により構成され、前記回転ルーバー６は円盤状の風向制御板９が前記回転ルーバー６の回転軸の垂直方向から傾き、たとえば角度は３０度、を持った状態で複数枚取付けられ、前記回転ルーバー６の回転軸は、ノズル３の噴流噴出し方向から、前記風向制御板９の半径の１／２程度下側に垂直方向に設けるように構成される。
【００２１】
図３、図４、図５、図６、図７、図８、図９、図１０は製品の上側から見た図であり、最も左方向に噴流方向を変更させる前記回転ルーバー６の回転位置を０度として、０度、４５度、９０度、１３５度、１８０度、２２５度、２７０度、３１５度の噴流方向を示している。０度から３６０度まで回転させていくと、噴流の方向が、左方向、垂直方向、右方向、垂直方向、左方向と変化する。
【００２２】
上記構成において、前記モータ５を回転させ、前記回転ルーバー６を回転させることにより、前記ノズル３から噴出し噴流の方向を変化させることができ、往復動作する際にかかる慣性力による振動、騒音の発生をなくすことができる。
【００２３】
なお、本実施の形態１では、送風吹出ノズルが１個の手乾燥装置としているが、送出ノズル部を複数設け、手の両面より送風する手乾燥装置においても同様の作用効果をもたらすことは言うまでもない。
【００２４】
（実施の形態２）
次に、本発明の実施の形態２について図面を参照しながら説明する。なお，実施の形態１と同一のものは同一番号を付し、その詳細な説明を省略する。
【００２５】
図１１に示すように、噴流方向変更手段４は、右半分と左半分で噴流変更の方向を逆にし、対称形になるように構成される。
【００２６】
上記構成において、噴流が前記噴流方向変更手段に当たることにより生じる前記噴流方向変更手段の回転軸方向の力が、右半分と左半分で逆方向になり打ち消し合い、前記噴流方向変更手段の回転軸方向の振動を低減し、振動による騒音を低減することができる。
【産業上の利用可能性】
【００２７】
噴流を噴き付けて乾燥を行う機器の事柄において、振動、騒音を低下することができる。
【符号の説明】
【００２８】
１      手乾燥装置
２      手乾燥室
３      ノズル
４      噴流方向変更手段
５      モータ
６      回転ルーバー
７      連結部
８      支持部
９      風向制御板
１０１  手乾燥装置
１０２  手乾燥室
１０３  ノズル
１０４  ノズル方向変更手段
１０５  モータ
１０６  クランク
１０７  連結部
１０８  リンク
１０９  案内板
１１０  支持部
【図１】
2013165802.tif 000003
【図２】
2013165802.tif 000004
【図３】
2013165802.tif 000005
【図４】
2013165802.tif 000006
【図５】
2013165802.tif 000007
【図６】
2013165802.tif 000008
【図７】
2013165802.tif 000009
【図８】
2013165802.tif 000010
【図９】
2013165802.tif 000011
【図１０】
2013165802.tif 000012
【図１１】
2013165802.tif 000013
【図１２】
2013165802.tif 000014
【図１３】
2013165802.tif 000015